(57)【特許請求の範囲】
【請求項１】
Ｌ型を成して据え付けした間仕切りパネルの上端に２つの笠木を取り付けし、この両笠木は一方の笠木のコーナー部に向けられた先端を露出すると共に他方の笠木のコーナー部に向けられた先端は一方の笠木の側面に当接した状態で取り付けされ、この両笠木のコーナー部に取着するコーナーカバーにおいて、該コーナーカバーは座とカバー片からなり、カバー片は笠木の端面を被覆することが出来る大きさ形状を成すと共に、その両側には縁を設け、一方の縁はカバー片をそのまま延長して形成し、他方の縁はＬ型に屈曲した形状を成し、座はカバー片の裏側中間位置にて水平に設けると共に、少なくとも２本のネジにて固定することが出来るように穴を貫通したことを特徴とする間仕切り用笠木のコーナーカバー。
【請求項２】
上記座の上下面にはネジの頭が嵌り得る筒状のボスを形成した請求項１記載の間仕切り用笠木のコーナーカバー。
【発明の詳細な説明】
【０００１】
【発明の属する技術分野】
本発明はトイレブース等を構成する間仕切りパネルの上端に取り付けされる笠木のＬ型コーナー部を被覆する為のカバーに関するものである。
【０００２】
【従来の技術】
図５はトイレブースの一部平面図と斜視図を表しているが、間仕切りパネル(イ) 、(イ) …を所定の位置に据え付けし、その一部には入口ドア(ロ) を取り付けしている。そして、これら間仕切りパネル(イ) 、(イ) …の上端には笠木(ハ) が取着され、該笠木(ハ) によって隣り合う間仕切りパネル(イ) 、(イ) …が連結された状態にある。特に、ドア(ロ) が取り付けられる為に、所定の空間が設けられる箇所ではこの笠木(ハ) を間仕切りパネル上端に取着することでトイレブース全体の構造が強化されるといった機能を持っている。
【０００３】
ところで、トイレブースのＬ型コーナー部では隣り合う間仕切りパネル(イ) 、(イ) が互いに垂直を成して連結されると共に、その上端に取着される笠木(ハ) 、(ハ) も垂直に交わり、この場合、Ａ部に示しているごとく笠木端は４５°に切断された状態で突き合わしされることになる。従って、先端は鋭角を成して尖る為に、この部分をヤスリで削り、又僅かな位置ズレが生じても突き合わせ面に隙間が発生して外観が損なわれる。
【０００４】
笠木先端を４５°に切断して、隙間が残らないように突き合わせ面を正確に加工することは容易でなく、又三角形の除去部分が発生することから材料の無駄を生じる。このように従来では笠木の先端は互いに繋がれることなく、突き合わされた状態で取着される為に、位置ズレに伴う種々の問題が残されている。
【０００５】
【本発明が解決しようとする課題】
このように、トイレブース等のＬ型コーナーを構成する間仕切りパネル上端に取着される笠木の突き合わせには上記のごとき問題がある。本発明が解決しようとする課題はこれら問題点であり、笠木コーナー部の位置ズレを防止すると共に、角に触れてもケガすることがないようにした笠木コーナーカバーを提供する。
【０００６】
【課題を解決するための手段】
本発明の笠木はその先端を従来のように４５°に切断して突き合わせ面を形成することなく、一方の笠木側面に他方の笠木先端面が当接した状態で突き合わされる。そして、表面化する一方の先端面には本発明のコーナーカバーが取着されると共に、このカバーは他方の笠木外側面の一部を被覆することが出来る形状と成っている。
【０００７】
そこで、このカバーは座とカバー片から成り、該座は笠木の両側片の間に嵌合してネジ止めされる。笠木は底片の両側に側片を垂直に起立したコ型断面の部材であり、パネル上端には底片がネジ止めにて取着される訳であり、この笠木先端に取り付けされて先端面をカバーする。座は両側片の間に嵌って、少なくとも２本のネジで取り付け出来るように穴が貫通している。
【０００８】
そして、カバー片は笠木先端面を被覆するだけでなく、両側に縁を形成し、一方の縁は突き合わされる他方の笠木の側面の一部をカバーすることで両笠木間の継ぎ目が見えないようにしている。他方の縁はＬ型に屈曲して同じく一方の笠木側面の一部をカバーすることが出来る為に、先端面とカバー片の継ぎ目が被覆される。以下、本発明に係る実施例を図面に基づいて詳細に説明する。
【０００９】
【実施例】
図１は本発明の笠木コーナーカバーを示している実施例であり、同図の１は座、２はカバー片を表している。座１はカバー片２の裏側から水平に延び、しかもカバー片２の中央に位置し、該座１には上面及び下面のそれぞれ２か所にネジの頭が嵌る筒状のボス３、３…を有している。勿論、ボス３の底にはネジが貫通する為の穴４を形成している。ボス３、３はカバー片２からの距離を違わせることで、ある程度大きなボスと成っている。
【００１０】
そして、カバー片２の両側には縁５と縁６を有し、縁５はカバー片２がそのまま延長されて形成しているが、縁６はＬ型に屈曲した形状をなしている。図２（ａ）は図１（ｄ）のＡ−Ａ断面、図２（ｂ）は図１（ｂ）のＢ−Ｂ断面図を表しているが、座１を中間面として上下にボス３、３…が突出し、しかもボス３の底には穴４が貫通している。従って、このコーナーカバーは笠木の両側片に座１を挿入して底片にネジ止めして取着されることになるが、カバー片２は笠木先端を被覆する。
【００１１】
図３はこのコーナ−カバーを笠木先端に取着した場合を示しているが、笠木７ａ、７ｂは間仕切りパネル８の上端に取り付けされている。間仕切りパネル８、８…により仕切られる空間は特に限定しないが、同図はトイレブースを示しており、このトイレブースの間仕切りパネル８ａと間仕切りパネル８ｂは互いに垂直をなして連結している。従ってその上端に取着されている笠木７ａ、７ｂも同じく垂直を成して交差している。
【００１２】
一方の笠木７ａは間仕切りパネル８ｂの外表面まで届き、他方の笠木７ｂの先端は笠木７ａの側面に突き合わされている。従って笠木７は適当な長さに切断され、従来のような４５°の突き合わせ面を加工する必要はなく、側面に対して垂直に切断される。笠木７ａはその先端が露出して取り付けされる為に、この先端を被覆する為に本発明のコーナーカバーＡが図３に示すように取り付けされる。
【００１３】
図４（ａ）〜（ｃ）はコーナーカバーを取り付けした場合の詳細図を示しているが、座１を笠木の側片９、９間に挿入すると共に、下側のボス３を底片１０に当接し、上側のボス３からネジを挿通して固定される。カバー片２は笠木端面を被覆するように当接し、一方の縁５は垂直に突き合う他方の笠木側面の一部を被覆している。従って、該縁５により、両笠木７ａ、７ｂの繋ぎ部はカバーされる。同じく、他方の縁６はＬ型に屈曲している為に笠木７ａの側面側に折れ曲がっていて、先端面とカバー片２の繋ぎ部は被覆される。
【００１４】
座１はカバー片２の中間に位置していて、その上下方向にボス３、３…を突出している為に、表裏反対向きにすることで反対方向のＬ型コーナーにも同じカバーを取着することが出来る。そして、カバー片２の表面には笠木の材質に合うような表面処理を施すことは自由である。又この実施例では座１の上下面にボス３、３…を形成しているが、座１を厚くしてボス３を設けなくてもよい。
【００１５】
以上述べたように、本発明の笠木コーナーカバーはカバー片の裏側中間を中心として座を水平に延ばし、そしてカバー片の両側には縁を形成したものであり、次のような効果を得ることが出来る。
【００１６】
【発明の効果】
本発明のコーナーカバーは笠木先端に取り付けされて先端面をカバーすることが出来る。すなわち、コーナーカバーは座とカバー片からなり、座を笠木の底片にネジ止めすると共に、カバー片は先端面被覆することが出来る。そして、笠木は４５°に切断した突き合わせ面ではなく、片方の先端面は一方の笠木側面に当接して取り付けされ、その結果、先端が露出した笠木端面を該カバーにて被覆する構造と成っていることから、該笠木の取り付けは容易である。更にカバー片の両側には縁が形成されていて、該縁は先端を当接する他方の笠木との接続部をカバーすることが出来、また他方の縁はＬ型に屈曲していることで先端面とカバー片の繋ぎ部を被覆することで、外観的にも良好なコーナーカバーとなる。
【図面の簡単な説明】
【図１】本発明のコーナーカバーを示す実施例。
【図２】（ａ）は図１におけるＡ−Ａ断面図、（ｂ）は図１におけるＢ−Ｂ断面図。
【図３】コーナーカバーを笠木コーナー部に取り付けした場合。
【図４】コーナーカバーを取り付けした詳細図。
【図５】従来の笠木コーナー部。
【符号の説明】
１  座
２  カバー片
３  ボス
４  穴
５  縁
６  縁
７  笠木
８  間仕切りパネル
９  側片
10  底片
【図１】
0004009920.tif 000002
【図２】
0004009920.tif 000003
【図３】
0004009920.tif 000004
【図４】
0004009920.tif 000005
【図５】
0004009920.tif 000006